(57)【要約】【課題】皺の発生を抑えた臭気遮断パックを提供する。【解決手段】臭気遮断パック１０は、パック本体１１に充填剤１２を充填して形成される。充填剤１２の量は、パック本体１１のシェル１４の容積の少なくとも８０％を占める。臭気遮断パック１０を排水口に被せることにより、排水管内部と室内との空気の流通を遮断することができるので、排水管を伝ってくる臭気が室内へ漏出することを防止することができる。このとき、シェル１４内に満たされている充填剤１２は、自身の重さによってパック本体１１の下面側フィルムを引き伸ばすことができる。これにより、パック本体１１の下面側フィルムに皺が発生することを抑制することができる。【選択図】図１
0003171643.tif 000002
【実用新案登録請求の範囲】
【請求項１】
軟質プラスチックフィルムからなるパック本体に、液体若しくはゲルからなる充填剤を封入し、
排水口に被せて排水管内部と室内との空気の流通を遮断する臭気遮断パックにおいて、
前記充填剤が前記パック本体の容積の９５％以上を占めるようにしたことを特徴とする臭気遮断パック。
【考案の詳細な説明】
【技術分野】
【０００１】
本考案は、排水口に被せて排水管内部と室内との空気の流通を遮断する臭気遮断パックに関する。
【背景技術】
【０００２】
従来、住宅等の建物に設けられる排水管には、臭気止め（以下「トラップ」という）が設けられている。該トラップは、たとえば、排水管を途中でＳ字状に湾曲させたＳトラップや、排水管の端部に伏せ椀形状のカップを被せた椀トラップといったものが知られている。該トラップ内に溜められた水（以下「封水」という）によって排水管は封じられている。これにより、下水道から排水管を伝わって、排水口内部から室内へ漏出する臭気を遮断することができる。
しかし、たとえば、旅行等で留守にしたり、空き部屋になったりした場合等のように、長期間に亘って排水管に水が流れない場合、封水は蒸発するおそれがある。封水が蒸発した場合には排水管内の臭気が排水口から溢れて、室内に充満するという問題があった。
そこで、本考案に係る考案者は、特開２０１０−０９０５７６号公報に開示されている臭気遮断蓋を発明し、排水口に被せて排水管内部と室内との空気の流通を遮断し、排水管内部に臭気を封じ込めるようにした。
【先行技術文献】
【特許文献】
【０００３】
【特許文献１】特開２０１０−０９０５７６号公報
【考案の概要】
【考案が解決しようとする課題】
【０００４】
しかしながら、本考案に係る考案者が上記の臭気遮断蓋を実際に長期間に亘って使用したところ、下面側のフィルムに発生した皺と排水口周縁との間に生じた極僅かな隙間から臭気が漏れてしまうという課題が新たに生じた。
【０００５】
そこで、本考案が解決しようとする課題は、皺の発生を抑えた臭気遮断パックを提供することを目的とする。
【課題を解決するための手段】
【０００６】
請求項１に記載の臭気遮断パックは、軟質プラスチックフィルムからなるパック本体に、液体若しくはゲルからなる充填剤を封入し、
排水口に被せて排水管内部と室内との空気の流通を遮断する臭気遮断パックにおいて、
前記充填剤が前記パック本体の容積の９５％以上を占めるようにしたことを特徴とする。
【考案の効果】
【０００７】
請求項１に記載の臭気遮断パックによれば、パック本体に封入した充填剤の量がパック本体の容積の９５％以上を占めるようにした。
これにより、充填剤の重さ、及びパック本体内部で拡がろうとする充填剤によって、パック本体の下面側のフィルムに発生した皺を伸ばし、皺の発生を抑制することができる。
ここで、パック本体の下面側フィルムに皺の発生を防ぐには、パック本体の内部を全て充填剤で満たすことが好ましい。しかしながら、パック本体の内部を全て充填剤で満たすためには、パック本体へ充填剤を充填する充填工程において、混入した空気を脱気する工程を設けることが求められる。しかし、当該脱気工程を設けると、充填工程が煩雑化して手間とコストがかかるようになる。
そのため、本発明によれば、パック本体の内部を可及的に充填剤で満たすようにし、略５％以下程度であればパック本体内に空気が混入することを許容するようにした。これにより、充填剤のパック本体への充填作業を手作業又は簡単な袋詰め装置によって行うことができるので、臭気遮断パックの製造コストを抑えることができる。
【図面の簡単な説明】
【０００８】
【図１】第１実施例に係る臭気遮断パックの構成の概略を示す斜視図である。
【図２】第１実施例に係る臭気遮断パックの使用例の概略を示す説明図である。
【実施例１】
【０００９】
本願考案に係る臭気遮断パックの実施例を、添付した図面にしたがって説明する。
臭気遮断パックの構成の概略を示す斜視図を図１に示し、臭気遮断パックの使用例の概略を示す説明図を図２に示す。
【００１０】
臭気遮断パック１０は、パック本体１１に液体又は半固体の充填剤１２を封入して形成されている。
パック本体１１は、一対のフィルムの周縁を溶着して形成したフランジ１３と、該フィルムを溶着することによって袋状に形成されたシェル１４と、該フィルムの一部を溶着しないことによって形成された開口部１５とからなる。
フィルムは、平面形状が円形状の軟質プラスチックからなる。該軟質プラスチックを用いたことにより、パック本体１１はクッション性を具備する。そのため、臭気遮断パック１０を排水口上に戴置したとき、パック本体１１の下面側にあるフィルムを排水口の縁部に密着させることができる。なお、このフィルムを積層フィルムとしても良い。このとき、互いに接合したときに内側となる面に高防水性のフィルムを配し、外側となる面に緩衝性を備えたフィルムを配するといったように、性質の異なるフィルムを複数枚積層することにより、パック本体を排水口へより密着させることができる。
また、本実施例において、フィルムの平面形状を汎用性の高い円形状にしたが、これに限定されるものではなく、シンク等に設けられている排水口の形状に合わせて、フィルムの平面形状を楕円形状、長円状又はこれ等に類する形状に形成することができる。
そして、本実施例においては、フランジ１３は溶着によって形成されるようにしたが、これに限定されるものではなく、接着剤によってフィルムの周縁を接着してフランジ１３を形成するようにしても良い。
また、パック本体１１は、その開口部１５からシェル１４の内部へ充填剤１２を手作業又は袋詰め装置によって容易に充填することができる。そのため、臭気遮断パックの製造コストを抑えることができる。
【００１１】
充填剤１２は、可溶性と吸水性を備えた合成樹脂の粉末に適量の水を加えて形成したものであって、適度な粘性を備えた半固体のゲル状に形成されている。これにより、地震や空調等によってパック本体１１に振動が加えられた場合でも、パック本体１１内の充填剤１２は流動し難い。また充填剤１２が半固体のゲル状であることから、パック本体１１に適度な弾力性を持たせることができる。
なお、本実施例の充填剤１２に替えて、液体、或いは高吸水性を備えた高分子ポリマーに水又はこれに類する液体を吸水させたもの等を用いても良い。また、これ等の液体又はゲル等に、香料或いは消臭剤等を添加しても良い。さらにまた、ゲルを生成するための合成樹脂を、環境に悪影響を与えないように生分解可能なものとしても良い。これによって、臭気遮断パック１０の使用後に充填剤１２を排水口から流して廃棄することができる。その後、パック本体１１を各自治体の規定にしたがって廃棄することにより、環境保護に貢献することができる。
【００１２】
シェル１４に充填される充填剤１２の量は、シェル１４の容積の９８％乃至９９％を占める。
本来、充填剤１２は空気が入らないようにシェル１４に充填することが好ましい。しかしながら、真空状態の下では、充填剤１２をシェル１４へ充填する充填装置が複雑になると共にその工程に手間がかかる。そのため、製造コストが高騰するおそれがある。
本実施例に係る臭気遮断パック１０は、手作業又は簡単な袋詰め装置によって開口部１５からシェル１４内部へ充填剤１２が充填される。そのため、作業工程上、シェル１４内部に充填剤１２と共に空気が混入する。この混入した空気をできるだけシェル１４から排気した後、開口部１５を溶着して閉じるとシェル１４の容積に対して１％乃至２％の空気が残留する。
パック本体１１の表面に皺が発生しないようにするには、シェル１４内部に残留する空気の量は体積比で略５％程度まで許容できる。すなわち、シェル１４に充填される充填剤１２の量は、シェル１４の容積の９５％以上であることが好ましい。
【００１３】
充填剤１２の量がシェル１４の容積の９５％を下回ると、パック本体１１の表面に皺が発生するようになる。
シェル１４内の充填剤１２の量が空気の量よりも多いと、パック本体１１の表面に細かな皺が発生する。この細かい皺によって、排水口とパック本体１１の表面との間に小さな隙間が形成される。当該隙間からは臭気が直ちに溢れ出ることはないが、封水が蒸発してしまうような長期間ともなると、排水管内部から溢れ出た臭気が室内に充満するおそれがある。
シェル１４内の充填剤１２の量が空気の量よりも少なくなると、排水口に臭気遮断パック１０をセットしたとき、シェル１４内部の空気は圧縮されて、パック本体１１の表面に大きな皺が発生するようになる。この皺によってフランジ１３が所々折れ曲がり、臭気が排水管内部から溢れ出るおそれがある。
【００１４】
上記の構成を有する臭気遮断パック１０は、以下のように使用される。図２に、臭気遮断パック１０の使用方法を説明する説明図を示す。
排水口２０は、シンク２１の底部に設けられている。排水口２０の内部は、円筒形のアウターケース２２とインナーケース２３と、インナーケース２３の端部に被せられている伏せ椀状のトラップ２４とからなる。アウターケース２２とトラップ２４との間には封水２５が溜められている。これにより、排水管２６を伝わってくる臭気を遮断することができる。
【００１５】
臭気遮断パック１０は、図２に示すように、臭気遮断パック１０の中心と排水口２０の中心が略同一直線上に重なるように排水口２０に被せられる。
臭気遮断パック１０内の充填剤１２は、自身の重さによってシェル１４内部の中心に偏り、図２に示すように、その断面は中央部が厚く周縁に向かって薄い略凸レンズ状に形成される。このとき、パック本体１１の下面側のフィルムは、充填剤１２に付勢されて排水口２０の縁部２０ａに密着する。また、パック本体１１内で拡がる充填剤１２は、パック本体の下面側のフィルムを引き伸ばすので下面側フィルムに皺が発生することを防止することができる。
ここで、軟質プラスチックからなるパック本体１１と半固体のゲル状物質からなる充填剤１２は適度な弾力性を呈し、フランジ１３が排水口２０の縁部２０ａの上面側に係止する。そのため、臭気遮断パック１０がアウターケース２２内部へ落下することを防止することができる。
【００１６】
本実施例に記載の臭気遮断パック１０によれば、該臭気遮断パック１０は接着剤等を使用しないで排水口２０を封じることができる。これにより臭気遮断パック１０は、容易に脱着可能であって、排水口２０の縁部２０ａに剥がし損ねた接着剤が残らないようにすることができる。これにより、長期旅行から帰ってきた場合には直ぐに水道を使用することができ、また、新しく借家人が入居したときには、綺麗な水回りを提供することができる。
【符号の説明】
【００１７】
１０…臭気遮断パック、
１１…パック本体、１２…充填剤、
１３…フランジ、１４…シェル、１５…開口部、
２０…排水口、２０ａ…排水口の端部、２１…シンク、２２…アウターケース、２３…インナーケース、２４…トラップ、２５…封水、２６…排水管。
【図１】
0003171643.tif 000003
【図２】
0003171643.tif 000004